【事件の表示】
　特願２０００−５８９１２３「再固定自在側面シームを有する吸収性物品」拒絶査定不服審判事件〔平成１２年６月２９日国際公開、ＷＯ００／３７００９、平成１４年１０月２日国内公表、特表２００２−５３２１９５〕について、次のとおり審決する。
【結　論】
　本件審判の請求は、成り立たない。
【理　由】
　１．手続の経緯
　本願は、平成１１年１２月１５日（パリ条約に基づく優先権主張外国庁受理１９９８年１２月１８日、アメリカ合衆国）を国際出願日とする出願であって、平成２２年４月３０日付けで拒絶査定がなされ、これに対し、平成２２年９月１３日に拒絶査定不服審判の請求がなされたものである。そして、平成２３年２月１６日付けで当審から拒絶理由を通知したところ、平成２３年５月１９日付けで手続補正がなされたものである。
　
　２．本願発明
　平成２３年５月１９日付けで補正された、明細書及び図面の記載から見て、本願の請求項１ないし３０に係る発明は、明細書の特許請求の範囲の請求項１ないし３０に記載した事項によって特定されるとおりのものと認める。その請求項１の記載は、次のとおりである（以下、請求項１に係る発明を「本願発明」という。）。
「縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該シャーシは、
前記縦軸線に平行な両方の線形側部エッジと前記横軸線に平行な両方の線形端部エッジとを有し、身体側ライナと前記身体側ライナに結合された外側カバーと前記身体側ライナ及び前記外側カバーの間に配置された吸収体アセンブリと、前記線形側部エッジに沿って設けられた両側の脚部弾性部材とを含む、矩形複合構造体、
　前記前部ウェスト領域において前記複合構造体に結合された第１及び第２の前部サイドパネル、
　前記後部ウェスト領域において前記複合構造体に結合された第１及び第２の後部サイドパネル、
　吸収性物品をパンツ状の形態で繰返し取付け可能に固定し、前記第１及び第２の後部サイドパネルの各々に結合された第１及び第２の固定用構成要素を含み、該第１及び第２の固定用構成要素が、対応する前記第１及び第２の前部サイドパネルの各々に結合された第１及び第２の受け側固定用構成要素に繰返し取付け可能に係合するようにされた固定装置、及び
　前記固定用構成要素と前記吸収体アセンブリとの間に横方向に配置されたエラストマ構成要素を備え、
　前記第１及び第２の固定用構成要素間の横方向間隔は、前記第１及び第２の受け側固定用構成要素間の横方向間隔と実質的に等しく、
　前記パンツ状の形態は、ウェスト開口部と脚開口部とを形成し、前記固定用構成要素と前記受け側固定用構成要素との係合は、前記ウェスト開口部と前記脚開口部との間の間隔の実質的に９０から９８パーセントを覆う再固定自在なシームを形成することを特徴とする、トレーニングパンツ。」
　
　３．当審が通知した拒絶理由
　当審が、平成２３年２月１６日付けで通知した拒絶理由は、概略次のとおりである。
「この出願の請求項１ないし３０に係る発明は、その出願前日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　《引用刊行物一覧》
　　引用例１．特開平６−２８５１１３号公報
　　引用例２．特表平９−５０４４５８号公報
　　周知例１．国際公開第９７／４６１９７号
　　周知例２．国際公開第９８／１８４２１号
　　周知例３．国際公開第９７／４８３５９号
　　周知例４．国際公開第９７／３６５６６号
　　周知例５．米国特許第４４０２６９０号明細書　」
　
　４．引用例の記載事項
　当審の拒絶の理由に引用された、本願の優先権主張日前に頒布された刊行物である引用例２（特表平９−５０４４５８号公報）には、図面と共に次の記載がある。
　ａ「本発明は、使い捨て吸収体製品に関する。この吸収体製品は、前部分、後部分及びこれらの前部分と後部分を結合する股部分を形成している。この股部分は、対向する長手方向の側端部分を有する。この収体製品は、外側カバーと、液体を透すボィーサイド・ライナと、外側カバーとボィーサイド・ライナとの間に位置する吸収体材料を有する。一対の対向する耳部分が、前部分及び／又は後部分上に位置し、使用の際に製品の後部分又は前部分とそれぞれ重なるようになっている。この吸収体製品は、更に、耳部分の重なり部分を後部分又は前部分へ取り付けて製品の各側部に位置する取付点を形成する取付手段を有する。これらの取付点は、製品の横方向中心面の後ろの製品の各側部に位置する。この吸収体製品は、更に、製品の前部分又は後部分の少なくとも一方に取り付けられる腰伸縮性部材と、対向する長手方向の側端部分に隣接する股部分に取り付けられる足伸縮性部材を有する。」（６頁２５行〜７頁７行）
　ｂ「本発明は、使い捨ての吸収体製品に関する。……本発明を赤ん坊用のおもつに適用して実施形態を以下説明するが、本発明は他の使い捨ての身体ケア用の吸収体製品である大人用失禁下着、子供用トレーニングパンツ等に適用可能である。」（８頁２〜９行）
　ｃ「図１は、赤ん坊用のおもつ１０のような吸収体製品を示し、このおもつ１０は、外側カバー１２と、この外側カバー１２と対向するように配置された液体を透すボディーサイド・ライナ１４を含む。吸収体材料１６がこれらの外側カバー１２とボディーサイド・ライナ１４の間に配置されている。おむつ１０は、前部分１８、後部分２０及びこれらの前部分１８と後部分２０を結合する股部分２２を形成している。この股部分２２は、対向する長手方向の側端部分２４を備えている。　一対の対向する耳部分２６が、おむつ１０の前部分１８に位置している。これらの耳部分２６は、使用の際に後部分２０と重なり合うように設けられている。　おむつ１０は、更に、前部分１８に取り付けられた前側腰伸縮性部材２８と、後部材２０に取り付けられた後側腰伸縮性部材３０を備えている。足側伸縮性部材３２が、対向する長手方向の側端部分２４に近接して、おむつ１０の股部分２２に取り付けられている。耳部分２６は、ホック部材３４のような第１機械式ファスナーを備えており、この第１機械式ファスナーは、ループ部材３６のような第２機械式ファスナーに取り外し可能に係合するように取り付けられている。ホック部材３４は、耳部２６の身体側に向いた内側に取り付けられ、一方、ループ部材３６は、反対方向即ち外側カバー１２の外部側に取り付けられる。」（８頁１０〜２５行）
　ｄ「以下に詳細に説明するように、耳部分２６は、使用の際におむつ１０の後部分２０と重なり合うように設けられている。ホック部材３４とループ部材３６は、このようにして、取付点を形成するように接触する。ここで、『取付点』は、吸収体製品（おむつ）の前部分が後部分と取り外し可能に係合可能に取り付けられている複数の点を意味している。当業者であれば、これらの取付点が、一般的には、単一の点ではなく、矩形領域、円形領域、楕円領域、又は他の形状であってもよいと認識可能である。図１に示された実施形態においては、前部分１８は、一般的にはホック部材３４を含む領域に対応する取付点の領域に渡って後部分２０に取り付けられる。接合点の少なくともいくらかは……製品の横方向中心面の後ろの側部に位置している。」（８頁２６行〜９頁６行）
　ｅ「外側カバー１２のサイズは、典型的には、吸収体材料１６のサイズと選択された正確なおむつのデザインにより決定される。外側カバー１２は、例えば、ほぼＴ字形、ほぼＩ字形、又は変形砂時計形でもよく……」（１０頁２６〜２８行）
　ｆ「耳部分２６を、おむつ１０と一体的に形成してもよく、この場合には、外側カバー１２は、外側カバー１２及び／又はボディーサイド・ライナ１４の延長部である。若しくは、耳部分２６を、別々に作り、その後、おむつ１０に取り付けるようにすることも可能である。図１は、耳部分２６を別々に作り、その後におむつ１０に取り付けた実施形態を示している。この図示された実施形態においては、耳部分２６を、外側カバー１２とボディーサイド・ライナ１４の接着されていない部分の間に挟み込み、これらの３つの材料（耳部分２６、外側カバー１２及びボディーサイド・ライナ１４）を接着剤による結合、ソニック結合、サーマル結合等により、互いに接着して、おむつ１０に取り付けている。……耳部分２６を、伸縮性フィルムから作ってもよく、この伸縮性フィルムには、天然又は合成ゴム物質のような伸縮性フィルム、Lycra（登録商標）ストランドのような伸縮性ストランド、ウレタンフォームのような伸縮性フォーム、伸縮性不織材料、ネック結合ラミネートやストレッチ結合ラミネートのような伸縮性材料を他の伸縮性又は非伸縮性材料に貼り付けたラミネート即ち複合材料等が含まれる。」（１１頁１６行〜１２頁６行）
　ｇ「図１の実施形態において、おむつ１０は、おむつ１０の後部分２０に位置する一対の対向する耳部分４０をさらに備えている。この後部分２０に位置する一対の耳部分４０を、耳部分２６において説明したように、形成して取り付けることが可能である。」（１２頁２０〜２２行）
　ｈ「図２には、本発明の他の実施形態が示されている。図２に示すおむつ１０は、足伸縮性部材３２を有し、この足伸縮性部材３２は、おむつの周囲３８の外側カバー１２とボディーサイド・ライナ１４の間に取り付けられたエラストマー・ストランド４２を備えている。これらのエラストマー・ストランド４２は、対向する長手方向側端部２４に隣接するおむつの股部分２２に位置している。」（１７頁７〜１１行）
　ｉ「図３は、本発明の他の実施形態を示す。図３に示すように、ホック部材３４を後部耳部分４０に、また、ループ部材３６をおむつ１０の前部分１８の外表面に位置させるようにすることも可能である。このようにした場合、図３は、図１及び図２に示された前から後への締結したおむつよりはむしろより伝統的な後から前への締結したおむつを示している。それでもなお、後部分に位置する対向する耳部分４０を使用の際に用いて、製品の前部分と重ねるようにしている。ホック＆ループ部材は、耳部分４０の重なり部分を前部分１８に取り付けるためのものであり、取り付け点を形成している。」（１８頁５〜１２行）
　ｊ「図４と図５の両方の場合において、ホック部材３４は、『横方向中心面の後ろ』に位置している。さらに、発明者は、これらの取付点の少なくともいくらかが、好ましくは取付点の大部分が、又はより好ましくは取付点の全部が、上記横方向中心面から、２．５インチ（６．４ｃｍ）以内、好ましくは約１．５インチ（３．８ｃｍ）以内、より好ましくは約１．０インチ（２．５ｃｍ）以内に位置するとき、フィット性が改善されることを発見した。これらの取付点を横方向中心面から約１．０以内に位置させた場合、取付点が製品１０の側部に位置することが確認された。一つの実施形態において、取付点の少なくともいくらかが、横方向中心面から約０．１インチ（０．２５４ｃｍ）以内に位置している。　取付点を上述した位置とすることでフィット性の改善が得られたが、これは、取付点が着用者が動いても曲がることがない部分に位置しているという事実から少なくともその一部が生じていると信じられている。具体的に言えば、取付点が、着用者のほぼ寛骨の上に位置しているので、着用者が動いている間、より少ない動き……となる。……図４は、前から後へ締結するタイプを示し、前部分が後部分と重なり取付手段を係合させている。図５は、後ろから前へ締結するタイプを示し、後部分が前部分と重なり取付手段を係合させている。」(２０頁６〜２５行）
　ｋ　図２には、吸収体製品１０が、前部分１８、後部分２０及びこれらの前部分と後部分を結合する股部分２２を備えていることが図示されている。そして、図２から、吸収体製品１０が、縦軸線、横軸線、前記横軸線に平行な前部及び後部エッジ、前部及び後部エッジの間に延びる両側の側部エッジを有し、前部分１８は前部エッジと連続した領域であり、後部分２０は後部エッジと連続した領域であることが見て取れる。
　ｌ　また、図２から、股部分２２の対向する長手方向側端部２４が、前部及び後部エッジの間に延びる両側の側部エッジの一部を形成していること、その長手方向側端部２４は、直線状（線形）であり、その長手方向側端部２４に沿って足側伸縮性部材３２が設けられていることが見て取れる。
　ｍ　吸収体製品の前部分、後部分及びこれらの前部分と後部分を結合する股部分は、吸収体製品の主要部分をなし、吸収体製品の全体形状を規定する部分であるから、これらを合わせてシャーシと呼ぶことができ、該シャーシは、吸収体材料を有しているから、吸収性シャーシということができる。
　ｎ　図２に記載された吸収体製品１０は、前側方向半分がＩ字形の上半分の形状をしており、後側方向半分が砂時計形の下半分に類似した形状をしている。しかし、上記摘記事項ｅに、外側カバー１２は、ほぼＩ字形としてもよいと記載されているから、引用例１には、全体形状がほぼＩ字形である吸収体製品１０が記載されているといえる。そして、全体形状がほぼＩ字形である吸収体製品は、吸収体材料１６を外側カバー１２とボディーサイド・ライナ１４の間に挟んだ部分が、矩形形状になることが、明らかである。
　ｏ　また、図２に記載のものは、前部分１８に位置する耳部分２６にホック部材３４を備えており、後部分２０の外側カバー１２にループ部材３６が取り付けられているが、これを図３に記載のように、後部分２０に位置する耳部分４０にホック部材３４を備え、前部分１８の側方に張り出した左右両部分にループ部材３６を取り付ける構成とし、図５の記載のように、ホック部材３４とループ部材３６とが係合する位置を、着用者のほぼ寛骨の上に位置する構成（上記摘記事項ｊ参照）としても良いことは、当業者に自明である。
　ｐ　図５には、ホック部材３４とループ部材３６との係合が、ウェスト開口部と脚開口部との間の間隔の大部分を覆うことが図示されている。ホック部材３４とループ部材３６との係合が、繰返し取り付け取り外し可能な係合であることは明らかである。
　ｑ　図１ないし図５の吸収体製品１０は、おむつに適用した例として説明されているが、吸収体製品１０を子供用トレーニングパンツとしても良いことは、上記摘記事項ｂに記載されている。
　
　以上の記載事項等並びに図２、図３及び図５によれば、引用例２には、次の発明が記載されている（以下、「引用発明」という。）。
　　　《引用発明》
「縦軸線、横軸線、前記横軸線に平行な前部及び後部エッジ、前記前部及び後部エッジの間に延びる両側の側部エッジ、前記前部エッジと連続した前部分１８、前記後部エッジと連続した後部分２０、及び、前記前部分１８及び後部分２０の間に延びてそれらを相互接続する股部分２２を有する吸収性シャーシを備え、該シャーシは、
　股部分２２にある、対向する長手方向の側端部分２４と、横軸線に平行な前部及び後部エッジとを有し、ボディーサイド・ライナ１４と、ボディーサイド・ライナ１４に結合された外側カバー１２と、ボディーサイドイナ１４及び外側カバー１２の間に配置された吸収体材料１６と、側端部分２４に沿って設けられた両側の足伸縮性部材３２とを含む、矩形複合構造体、
　前部分１８において前記複合構造体に結合された一対の対向する耳部分２６、
　後部分２０において前記複合構造体に結合された、後部分に位置する一対の対向する耳部分４０、
　吸収体製品１０をパンツ状の形態で繰返し取付け可能に固定し、後部分２０に位置する耳部分４０にホック部材３４が、対応する前部分１８の側方に張り出した左右両部分に取り付けられたループ部材３６に繰返し取付け可能に係合するようにされた取付手段、及び
　ホック部材３４を取付けた、後部分２０に位置する耳部分４０は、伸縮性を有する部材であり、
　吸収体製品１０の着用時に、ホック部材３４とループ部材３６との取付点の少なくとも一部が、着用者の横方向中心面から約０．１インチ以内に位置して、該取付点が着用者の寛骨のほぼ上に位置するように、耳部分４０へのホック部材３４の取付位置及び、前部分１８の側方に張り出した部分へのループ部材３６の取付位置が定められており、
　前記パンツ状の形態は、ウェスト開口部と脚開口部とを形成し、ホック部材３４とループ部材３６との係合は、前記ウェスト開口部と前記脚開口部との間の間隔の大部分を覆う、繰返し取り付け取り外し可能な係合を形成する、子供用トレーニングパンツ。」
　
　５．対比
（１）本願発明と引用発明とを対比すると、引用発明の「前部及び後部エッジ」は、本願発明の「前部及び後部ウェストエッジ」に相当し、同様に、
　「前部分１８」は「前部ウェスト領域」に、
　「後部分２０」は「後部ウェスト領域」に、
　「股部分２２」は「股部領域」に、
　「対向する長手方向の側端部分２４」は「縦軸線に平行な両方の線形側部エッジ」に、
　「ボディーサイド・ライナ１４」は「身体側ライナ」に、
　「外側カバー１２」は「外側カバー」に、
　「吸収体材料１６」は「吸収体アセンブリ」に、
　「足伸縮性部材３２」は「脚部弾性部材」に、
　「一対の対向する耳部分２６」及び「前部分１８の側方に張り出した左右両部分」は「第１及び第２の前部サイドパネル」に、
　「後部分に位置する一対の対向する耳部分４０」は「第１及び第２の後部サイドパネル」に、
　「吸収体製品１０」は「吸収性物品」に、
　「ホック部材３４」は「第１及び第２の固定用構成要素」に、
　「ループ部材３６」は「第１及び第２の受け側固定用構成要素」に、
　「取付手段」は「固定装置」に、
　「繰返し取り付け取り外し可能な係合」は「再固定自在なシーム」に、
　「子供用トレーニングパンツ」は「トレーニングパンツ」に、
それぞれ相当する。
　
（２）本願明細書段落００５３の「サイドパネル３４及び１３４は、トレーニングパンツ２０の横軸線４９にほぼ平行な方向に延びることができる弾性材料を含むことが好ましい。……各サイドパネル３４は、ウェスト端部エッジ７２から脚端部エッジ７０までエラストマー性であることが最も好ましい。より詳しくは、横軸線４９に平行にウェスト端部エッジ７２と脚端部エッジ７０との間で採取したサイドパネルの材料の個々の試料は、取付けライン６６から遠位エッジ６８まで長さと２センチメートルの幅とを有するものであるが、全てエラストマー性である。」という記載などから見て、本願発明の「固定用構成要素と吸収体アセンブリとの間に横方向に配置されたエラストマ構成要素を備え」とは、固定用構成要素を取付ける位置を含めてサイドパネルがエラストマー性であることをも意味することが明らかである。そうすると、引用発明の「ホック部材３４を取付けた、後部分２０に位置する耳部分４０は、伸縮性を有する部材であり」は、本願発明の「固定用構成要素と吸収体アセンブリとの間に横方向に配置されたエラストマ構成要素を備え」に相当する。
　
（３）引用発明の「パンツ状の形態は、ウェスト開口部と脚開口部とを形成し、ホック部材３４とループ部材３６との係合は、前記ウェスト開口部と前記脚開口部との間の間隔の大部分を覆う」ことと、本願発明の「パンツ状の形態は、ウェスト開口部と脚開口部とを形成し、前記固定用構成要素と前記受け側固定用構成要素との係合は、前記ウェスト開口部と前記脚開口部との間の間隔の実質的に９０から９８パーセントを覆う」こととは、再固定自在なシーム（繰返し取り付け取り外し可能な係合）が、「ウェスト開口部と脚開口部との間の間隔の大部分を覆う」限りにおいて一致する。
　
（４）そうすると、本願発明と引用発明とは、できるだけ本願発明の記載に倣えば、次の一致点で一致する。
　　　《一致点》
「縦軸線、横軸線、前記横軸線に平行な前部及び後部ウェストエッジ、前記前部及び後部ウェストエッジの間に延びる両側の側部エッジ、前記前部ウェストエッジと連続した前部ウェスト領域、前記後部ウェストエッジと連続した後部ウェスト領域、及び、前記前部及び後部ウェスト領域の間に延びてそれらを相互接続する股部領域を形成する吸収性シャーシを備え、該シャーシは、
　前記縦軸線に平行な両方の線形側部エッジと前記横軸線に平行な両方の線形端部エッジとを有し、身体側ライナと前記身体側ライナに結合された外側カバーと前記身体側ライナ及び前記外側カバーの間に配置された吸収体アセンブリと、前記線形側部エッジに沿って設けられた両側の脚部弾性部材とを含む、矩形複合構造体、
　前記前部ウェスト領域において前記複合構造体に結合された第１及び第２の前部サイドパネル、
　前記後部ウェスト領域において前記複合構造体に結合された第１及び第２の後部サイドパネル、
　吸収性物品をパンツ状の形態で繰返し取付け可能に固定し、前記第１及び第２の後部サイドパネルの各々に結合された第１及び第２の固定用構成要素を含み、該第１及び第２の固定用構成要素が、対応する前記第１及び第２の前部サイドパネルの各々に結合された第１及び第２の受け側固定用構成要素に繰返し取付け可能に係合するようにされた固定装置、及び
　前記固定用構成要素と前記吸収体アセンブリとの間に横方向に配置されたエラストマ構成要素を備え、
　前記第１及び第２の固定用構成要素間の横方向間隔は、前記第１及び第２の受け側固定用構成要素間の横方向間隔と実質的に等しく、
　前記パンツ状の形態は、ウェスト開口部と脚開口部とを形成し、前記固定用構成要素と前記受け側固定用構成要素との係合は、前記ウェスト開口部と前記脚開口部との間の間隔の大部分を覆う再固定自在なシームを形成する、トレーニングパンツ。」
　
（５）そして、本願発明と引用発明とは、次の相違点１、２で相違する。
　　　《相違点１》
　本願発明では、再固定自在なシームが、ウェスト開口部と脚開口部との間の間隔の実質的に９０から９８パーセントを覆うのに対して、引用発明では、再固定自在なシーム（繰返し取り付け取り外し可能な係合）が、ウェスト開口部と脚開口部との間の間隔の大部分を覆うものの、その割合が「９０から９８パーセント」であると特定されていない点。
　　　《相違点２》
　本願発明では、第１及び第２の固定用構成要素間の横方向間隔と、前記第１及び第２の受け側固定用構成要素間の横方向間隔とが、実質的に等しいのに対して、引用発明では、固定用構成要素（ホック部材３４）間及び受け側固定用構成要素（ループ部材３６）間の横方向間隔が特定されていない点。
　
　６．相違点の検討
（１）相違点１について検討すると、再固定自在なシームが、ウェスト開口部と脚開口部との間の間隔の大部分を覆う構成において、「大部分」を「９０から９８パーセント」とすることは、再固定自在なシームの固定強度等を考慮して、当業者が適宜決定すべき単なる設計事項である。したがって、引用発明において「大部分」を「９０から９８パーセント」として、本願発明の構成とすることは、当業者が格別の困難性を伴うことなく容易になし得たことといえる。
　
（２）相違点２について検討すると、再固定自在シームのための、第１及び第２の固定用構成要素間の横方向間隔と、第１及び第２の受け側固定用構成要素間の横方向間隔とを、実質的に等しくする構成は、例えば、周知例１、周知例５に示されており、周知の構成であるから、再固定自在シームのための第１及び第２の固定用構成要素間の横方向間隔と、第１及び第２の受け側固定用構成要素間の横方向間隔とを実質的に等しくすることは、当業者が容易に推考し得たことである。
　第１及び第２の固定用構成要素間の横方向間隔と、第１及び第２の受け側固定用構成要素間の横方向間隔とを等しくすることの効果について、請求人は、平成２３年５月１９日付け意見書の「本願発明１、５、６、７について」の（４）で、次のように主張している。
　「本願発明１は、『前記第１及び第２の固定用構成要素間の横方向間隔は、前記第１及び第２の受け側固定用構成要素間の横方向間隔と実質的に等しい』という構成を有しています。この構成により、トレーニングパンツを組立てた場合、再固定可能な側面のシームが着用者の腰の真横に来ることになります。側面のシームは常にシームがはがされるように力を受けていますが、このようにシームが着用者の腰の真横にくる場合にはシームが腰の骨に接触する位置にくるため腰の関節の動きによりシームがはがされる力を受けるという影響を受けにくくなります。このように側面のシームが着用者の動作により偶発的に分離してしまうことを防止することができます（段落番号０００８など）。……引用発明２は、引用文献２（審決注：本審決でいう引用例２）の図１乃至３に示されているように、ホック部分３４の間隔の方がループ部分３６の間隔より広くなっており組立てるとシームが着用者の腰の真横からずれた位置に来るため、本願発明１の（４）の作用効果を有していません。」
　しかしながら、引用例２の上記摘記事項ｊには、「取付点の少なくともいくらかが、横方向中心面から約０．１インチ（０．２５４ｃｍ）以内に位置している。取付点を上述した位置とすることでフィット性の改善が得られたが、これは、取付点が着用者が動いても曲がることがない部分に位置しているという事実から少なくともその一部が生じていると信じられている。具体的に言えば、取付点が、着用者のほぼ寛骨の上に位置しているので、着用者が動いている間、より少ない動き……となる。」と記載されているとおり、引用発明の「吸収体製品１０の着用時に、ホック部材３４とループ部材３６との取付点の少なくとも一部が、着用者の横方向中心面から約０．１インチ以内に位置して、取付点が着用者の寛骨のほぼ上に位置するように、耳部分４０へのホック部材３４の取付位置及び、前部分１８の側方に張り出した部分へのループ部材３６の取付位置が定められて」いる構成は、「シームが腰の骨に接触する位置にくるため腰の関節の動きによりシームがはがされる力を受けるという影響を受けにくくなる」という作用効果を有するものであることが明らかである。
　意見書における請求人の上記主張は、引用例２の記載事項に反するものであり、失当であるから採用することができない。
　
（３）そして、本願発明が全体として奏する効果も、引用発明から当業者が予測できたものであって、格別顕著なものとはいえない。
　したがって、本願発明は、引用発明に基いて、当業者が容易に発明をすることができたものであるから、特許法第２９条第２項の規定により、特許を受けることができないものである。
　
　７．むすび
　以上のとおり、本願発明は、特許法第２９条第２項の規定により特許を受けることができないものであり、他の請求項に係る発明について検討するまでもなく、本願は拒絶されるべきものである。
　よって、結論のとおり審決する。